(57)【要約】【課題】  絞り連動棹を備える従来型の撮影レンズを用いても適正な露出の動画の撮影を可能にした絞り駆動装置を提供する。【解決手段】  絞り値を変化させる絞り連動棹を有する絞り機構を備えた撮影レンズが装着可能なカメラボディに設けられ、絞り連動棹２４１を移動させるための絞りスライド板１７３を備える絞り駆動装置１７であって、回転力を発生する絞りモータ１７２と、絞りモータの回転力を絞りスライド板１７３の移動に変換するための機構部として、リードスクリュー１７４と、リードスクリュー１７４に螺合されたリードナット１７６を備える。絞り連動棹により絞り制御を行う既存の撮影レンズを本発明のカメラボディに装着すれば、ミラーアップ状態で動画を撮影している際に被写体の明るさの変動に追従して絞りモータ１７２が絞り連動棹２４１の回動位置を制御し、撮影レンズの絞り値を制御して適正な露出での動画の撮影が実現できる。【選択図】  図３
2008197552.tif 000002
【特許請求の範囲】
【請求項１】
光軸回りに回動されて絞り値を変化させる絞り連動棹を有する絞り機構を備えた撮影レンズが装着可能なカメラボディに設けられ、前記絞り連動棹を移動させるための絞りスライド板を備える絞り駆動装置であって、前記絞り駆動装置は、回転力を発生する絞りモータと、前記絞りモータの回転力を前記絞りスライド板の移動に変換するための機構部とを備えることを特徴とするレンズ交換式デジタルカメラの絞り駆動装置。
【請求項２】
前記絞りスライド板を移動させたときに前記絞りモータを強制的に回動させることが可能であることを特徴とする請求項１に記載のレンズ交換式デジタルカメラの絞り駆動装置。
【請求項３】
前記機構部は、前記絞りモータにより軸転されるリードスクリューと、前記リードスクリューに螺合されて当該リードスクリューの軸方向に移動されるリードナットとを備え、前記絞りスライド板は前記リードナットに一体化されていることを特徴とする請求項２に記載のレンズ交換式デジタルカメラの絞り駆動装置。
【請求項４】
前記リードスクリューのリード角は前記絞りモータのディテントトルクに抗してリードスクリューを回転して前記絞りスライド板を移動できる角度に設定したことを特徴とする請求項３に記載のレンズ交換式デジタルカメラの絞り駆動装置。
【請求項５】
前記機構部は絞りスライド板を基準位置に移動位置させるためのスライド板復元バネを備えることを特徴とする請求項２ないし４のいずれかに記載のレンズ交換式デジタルカメラの絞り駆動装置。
【請求項６】
前記基準位置は前記絞り機構を開放状態にする位置であることを特徴とする請求項５に記載のレンズ交換式デジタルカメラの絞り駆動装置。
【請求項７】
前記絞りモータはステップモータであることを特徴とする請求項１ないし６のいずれかに記載のレンズ交換式デジタルカメラの絞り駆動装置。
【請求項８】
前記撮影レンズの絞り機構は前記絞り連動棹を初期位置に回動位置させるための連動棹復元バネを備えており、前記スライド板復元バネのバネ力は当該連動棹復元バネのバネ力よりも大きく、前記絞りモータのディテントトルクよりも大きなトルクを発生し得ることを特徴とする請求項７に記載のレンズ交換式デジタルカメラの絞り駆動装置。
【請求項９】
前記絞り機構は前記絞り連動棹の初期位置において絞りを最大絞り値（最小開口径）状態にし、前記撮影レンズを前記カメラボディに装着したときに前記基準位置にある前記絞りスライド板により前記絞りが最小絞り値（開放状態）に設定されることを特徴とする請求項５ないし７のいずれかに記載のレンズ交換式デジタルカメラの絞り駆動装置。
【発明の詳細な説明】
【技術分野】
【０００１】
本発明は一眼レフカメラ等のレンズ交換式のデジタルカメラに関し、特に撮影レンズの絞りをカメラボディ側で制御して動画の撮影を可能にした絞り駆動装置に関するものである。
【背景技術】
【０００２】
従来のレンズ交換式のデジタルカメラ、特に一眼レフデジタルカメラでは、静止画を撮影する毎にカメラボディ内のミラー駆動機構によりメインミラーを撮影光路から退避させるミラーアップを行い、これと同時に絞り駆動機構を動作して撮影レンズの絞りを開放状態から所定の絞り値にまで絞り込む動作を行い、次にシャッターを動作させている。すなわち、カメラボディにはミラー駆動機構でのメインミラーのミラーアップ動作に連動して移動する絞りスライド板を設け、撮影レンズには内蔵した絞りを絞り込み動作させるための絞り連動棹を設け、撮影レンズをカメラボディに装着したときにこれら絞りスライド板と絞り連動棹とを係合させ、ミラーアップ動作と同時に絞りスライド板を露出に対応した量（長さ）だけスライドさせ、これにより絞り連動棹を移動させて撮影レンズでの絞り込みを行っている。絞り及び絞り連動棹は内蔵されている引張バネによって絞り込み方向に付勢されており、撮影レンズをカメラボディに装着したときには絞り連動棹と絞りスライド板との係合によって絞り連動棹を引張バネの付勢力に抗して開放位置に強制移動させ、ミラーアップ動作時に絞りスライド板をスライドさせたときにこの引張バネの付勢力による絞り連動棹の移動を許容させて絞り込みを行っている。絞りスライド板のスライド量はカメラボディに設けられた露出機構により撮影直前の露出に対応したスライド量に設定される。
【０００３】
近年、数メガピクセルの全画素を所要のフレーム速度で読み出すことが可能な撮像素子が開発され、この撮像素子を用いることで動画撮影を可能にした一眼レフデジタルカメラが提案されている。このような一眼レフデジタルカメラで適正な露出の動画を撮影する際には、撮影中はミラーアップ状態とシャッター全開状態を保持する一方で、撮影レンズの絞りは被写体の明るさに応じて制御する必要がある。近年のデジタルカメラ用に提供されている撮影レンズでは、撮影レンズ内に絞りを制御するための絞りモータを内蔵させ、この絞りモータによって動画を撮影している間の絞りを適正に制御することは可能である。あるいは、特許文献１には、絞りモータを内蔵していない撮影レンズでのミラーアップ時での絞り込み制御を可能とするために、カメラボディに絞りモータを設けておき、この絞りモータの回転力を撮影レンズにまで伝達して撮影レンズの絞りを制御するカメラが開示されている。この特許文献１のカメラでは、撮影レンズの絞りを絞りモータによって制御させるための構造の詳細は記載されていないが、段落（００５９）の記載に基づけば、少なくとも絞りモータからトルクを伝達することによって絞りを開放する方向と絞る方向にそれぞれ動作させる構造であることが推測でき、前記した従来の絞り連動棹を備える撮影レンズのように、絞りを引張バネにより絞り込み側に付勢しておき、絞り連動棹を駆動したときに当該付勢力を利用して絞りを絞り込むようにしたものとは構成が相違する。
【特許文献１】特開２００２−２９０８２８号公報
【発明の開示】
【発明が解決しようとする課題】
【０００４】
しかし、従来の絞り連動棹の移動により絞り制御を行う従来型の撮影レンズでは、前述のようにカメラボディの絞りスライド板のスライド量は撮影前の露出に対応して一義的に設定されているため、ミラーアップの状態が継続されている間、すなわち動画を撮影している間は絞りスライド板のスライド量、すなわちスライドした位置は固定されており、撮影レンズの絞りを制御することはできない。そのため、この種の従来型の撮影レンズで動画を撮影した場合には、動画の撮影中に被写体の明るさが変化した場合には適正な露出による撮影ができなくなるおそれがある。この場合、特許文献１のようにカメラボディに絞りモータを配設し、この絞りモータの回転力を利用して撮影レンズの絞り制御を行う構成が考えられるが、そのためには撮影レンズの絞り構造を変更しなければならず、従来の絞り連動棹を用いた撮影レンズをそのまま利用しての実現は不可能である。
【０００５】
本発明の目的は、絞り連動棹を備える従来型の撮影レンズを用いても適正な露出の動画の撮影を可能にした絞り駆動装置を提供するものである。
【課題を解決するための手段】
【０００６】
本発明は光軸回りに回動されて絞り値を変化させる絞り連動棹を有する絞り機構を備えた撮影レンズが装着可能なカメラボディに設けられ、当該絞り連動棹を移動させるための絞りスライド板を備える絞り駆動装置であって、絞り駆動装置は、回転力を発生する絞りモータと、絞りモータの回転力を絞りスライド板の移動に変換するための機構部とを備えることを特徴とする。さらに、本発明では、絞りスライド板を移動させたときに絞りモータを強制的に回動させることを可能とする。好ましくは、機構部は、絞りモータにより軸転されるリードスクリューと、リードスクリューに螺合されて当該リードスクリューの軸方向に移動されるリードナットとを備え、絞りスライド板はリードナットに一体化されている。
【発明の効果】
【０００７】
本発明によれば、従来の絞り連動棹により絞り制御を行う既存の撮影レンズを本発明の絞り駆動装置を備えたカメラボディに装着すれば、ミラーアップ状態で動画を撮影している際に被写体の明るさの変動に追従して絞りモータが絞り連動棹の回動位置を制御し、撮影レンズの絞り値を制御することができ、適正な露出での動画の撮影が実現できる。
【発明を実施するための最良の形態】
【０００８】
本発明において、リードスクリューのリード角を絞りモータのディテントトルクに抗してリードスクリューを回転して絞りスライド板を移動できる角度に設定する。さらに、絞りスライド板を基準位置に移動位置させるためのスライド板復元バネを備える。特に、基準位置は絞り機構を開放状態にする位置である。これにより、撮影レンズの種類の違いによって絞り連動棹の初期位置が異なる撮影レンズを装着した場合でも、絞りモータの駆動を停止したときには、絞りスライド板を基準位置に移動させて撮影レンズの絞りを開放状態にすることが可能となる。この場合、絞りモータをステップモータで構成することが好ましく、カメラボディ側ではこのときの絞りモータの回転位置を基準位置に設定して絞り制御を実行することが可能になる。
【０００９】
また、本発明において、撮影レンズの絞り機構は絞り連動棹を初期位置に回動位置させるための連動棹復元バネを備えており、スライド板復元バネのバネ力は当該連動棹復元バネのバネ力よりも大きく、絞りモータのディテントトルクよりも大きなトルクを発生し得る構成とする。好ましくは、絞り機構は絞り連動棹の初期位置において絞りを最大絞り（最小開口径）状態にし、撮影レンズをカメラボディに装着したときに基準位置にある前記絞りスライド板により絞りが最小絞り（開放状態）に設定される構成とする。これにより、撮影レンズを装着したときにはスライド板復元バネによって撮影レンズを開放絞りに設定し、かつ撮影時には絞りモータでの駆動によって最大絞りまでの範囲の制御された絞り値に設定できる。
【実施例１】
【００１０】
次に、本発明の実施例を図面を参照して説明する。図１は本発明を一眼レフデジタルカメラに適用した実施例１のカメラボディ１と、絞り連動棹を備える撮影レンズ２の外観斜視図である。図１において、カメラボディ１にはレリーズボタン１１、ＬＣＤ表示装置１２、モードダイヤル１３等が図示されている。また、カメラボディ１の前面にはレンズマウント１４が設けられており、前記撮影レンズ２が装着可能とされている。このレンズマウント１４に臨むカメラボディ内にはミラーボックス１５が配設され、このミラーボックス内にメインミラー１０１が配設されるとともに、メインミラー１０１がミラーアップしたときに図の上方にスライド動作される絞りスライド板１７３が配設されている。また、レンズマウント１４の一部には撮影レンズ２のＡＦ制御を行うためのＡＦカプラー１６が配設されている。前記撮影レンズ２には、レンズ鏡筒の外周部に沿って筒軸方向に並んでズーム操作リング２１とフォーカス操作リング２２が設けられ、後端には前記カメラボディ１のレンズマウント１４に嵌合して撮影レンズ２をカメラボディ１に装着するためのバヨネット部２３が設けられている。このバヨネット部２３には、撮影レンズ２に内蔵されている後述する絞り機構２４を動作させるための絞り連動棹２４１の先端部が突出されており、撮影レンズ２をカメラボディ１に装着したときに前記絞りスライド板１７３に係合するようになっている。
【００１１】
図２（ａ）は前記撮影レンズ２の絞り機構２４を撮影レンズの光軸方向の後方から見た図であり、図３は当該撮影レンズ２内の絞り機構２４を前記カメラボディ１内の前記絞りスライド板１７３を移動させる絞り駆動機構１７と共に示す図であり、撮影レンズ２及びカメラボディ１に向かって左前方やや下方から見た要部の一部分解斜視図である。この絞り機構２４は既に公知の撮影レンズに採用されている構成であるので詳細な説明は省略するが、円周一部に前記絞り連動棹２４１を光軸後方に突出し、当該絞り連動棹２４１と共に光軸回りに回動される絞り環２４２と、この絞り環２４２に絞りカム係合板２４３によって係合されて一体的に回動される絞りカム２４４と、この絞りカム２４４の回動によってそれぞれ揺動される複数の絞り羽根２４５を備えている。これらの絞り羽根２４５はそれぞれに設けた回転軸２４５ａにおいて光軸開口２４６ａを有する絞り固定環２４６に各平面内において揺動可能に支持されるとともに、他の一部に設けたピン状のカムフォロア２４５ｂが前記絞りカム２４４に設けたカム溝２４４ａに内挿されている。また、前記絞り環２４２は自身に設けられらピンとレンズ鏡筒の一部に設置されたピンとの間に掛装された引張コイルバネからなる連動棹復元バネ２４７により図２（ａ）において反時計方向に回動付勢されている。また、前記絞り固定環２４６の光軸位置に設けられている光軸開口２４６ａはほぼ当該撮影レンズの最小絞り値（最大開口径）となる開口寸法に設定されている。
【００１２】
この絞り機構２４では、撮影レンズ２をカメラボディ１に装着していない状態では、絞り環２４２は連動棹復元バネに２４７より図２（ａ）の反時計方向に最大に回動された位置にあり、これと一体に回動位置されている絞りカム２４４のカム溝２４４ａと各絞り羽根２４５のカムフォロア２４５ｂとの係合によって、各絞り羽根２４５は回転軸２４５ａを中心にして反時計方向に回動されており、各絞り羽根２４５は絞り固定環２４６の光軸開口２４６ａ内に進出して絞り開口が小さい状態、すなわち絞り込まれた最大絞り値の状態にある。この状態から図２（ｂ）の矢印のように、連動棹復元バネ２４７のバネ力に抗して絞り連動棹２４１を所要角度だけ時計方向に回動すると、絞り環２４２は連動棹復元バネ２４７のバネ力に抗して時計方向に回動され、最大に回動された位置においてこれと一体に回動位置されている絞りカム２４４のカム溝２４４ａと各絞り羽根２４５のカムフォロア２４５ｂとの係合によって、各絞り羽根２４５は回転軸２４５ａを中心にして時計方向に回動され、各絞り羽根２４５は絞り固定環２４６の光軸開口２４６ａから外周部に退避して絞り開口が大きい状態、すなわち最小絞り値の開放の状態となる。すなわち、絞り連動棹２４１の回動位置変化に追従して撮影レンズ２の絞り値が変化されることになる。
【００１３】
図４に前記カメラボディ１に前記撮影レンズ２を装着した状態の概念構成図を示すように、撮影レンズ２で結像される被写体像を視認するために前記ミラーボックス１６の上部にはメインミラー１０１において上方に向けて反射されたピント板１０３、ペンタプリズム１０４、接眼レンズ１０５等からなる光学ファインダ１０２が設けられている。また、ミラーボックス１５の背後にはレリーズ時にメインミラー１０１がミラーアップしたときに被写体光を受光して被写体を撮像するＣＣＤ等の撮像装置１０６及びシャッター機構１０７が設けられている。さらに、前記メインミラー１０１には、この一部を透過した被写体光を下方に向けて反射するサブミラー１０８が設けられており、メインミラー１０１の下方位置には前記サブミラー１０８で反射した被写体光を受光して被写体までの距離を測距するＡＦユニット１１０が設けられている。また、前記カメラボディ１内には、前記撮影レンズ２の絞り機構２４を駆動するための本発明の絞り駆動装置としての絞り駆動機構１７と、この絞り駆動機構１７を制御するための絞り駆動回路１１１と、前記撮影レンズ２内に設けられているフォーカスレンズＦＬを前記ＡＦカプラー１６を介して駆動してＡＦ制御を行うためのＡＦ機構２５を制御するためのＡＦ装置１１２とが設けられている。
【００１４】
さらに、前記カメラボディ１には前記撮像装置１０６で撮像して得られた撮像信号を信号処理し、圧縮又は非圧縮して画像メモリ１１４に記録する信号処理部１１３を備えている。この信号処理部１１３での信号処理動作は既に周知であるのでここでは説明は省略する。また、前記光学ファインダ１０２内に配置した測光素子１１５からの測光データや、前記ＡＦユニット１１０からのＡＦデータが入力され、これらのデータに基づいて適切な絞り値情報や合焦位置情報を演算するＣＰＵ１００を備えている。このＣＰＵ１００は前記撮像装置１０６やシャッター機構１０７を始めとする各部を制御するためのものであるが、本発明に関連する制御として、前記測光素子１１５からの測光情報に基づいて前記絞り駆動回路１１１に絞り値情報を出力し、この絞り駆動回路１１１によって前記絞り駆動機構１７を制御することが可能に構成されている。
【００１５】
図３を再度参照すると、前記カメラボディ１内に設けられている前記絞り駆動機構１７は前記ミラーボックス１６に固定支持されるフレーム１７１に組み立てられており、駆動力源としてステップモータで構成された絞りモータ１７２と、この絞りモータ１７２によってミラーボックス１６内で上下にスライド移動される前記した絞りスライド板１７３とを備えている。図５は図３の裏面側から見た光軸方向の図であり、撮影レンズ２のカメラボディ１に装着すべくバヨネット部２３をレンズマウント１４に挿入した直後のバヨネット部２３での結合を行う前の状態を示しており、絞り連動棹２４１は未だ絞りスライド板１７３に係合していない状態である。前記絞りモータ１７２は前記フレーム１７１の基端片１７１ａに回転出力軸１７２ａを下方に向けて支持されるとともに、当該回転出力軸１７２ａにはフレーム１７１の中間片１７１ｂに先端部を軸支した螺旋溝を有するリードスクリュー１７４が基端部において連結され、前記絞りモータ１７２によって当該リードスクリュー１７４が軸転駆動可能とされている。また、フレーム１７１の前記基端片１７１ａと第２中間片１７１ｃとの間に上下方向にガイドバー１７５が架設されており、このガイドバー１７５には前記絞りスライド板１７３が上下方向にスライド移動可能に支持されている。この絞りスライド板１７３には前記リードスクリュー１７４に螺合されたリードナット１７６が螺合されており、このリードナット１７６がリードスクリュー１７４の軸転に伴って軸方向に螺進して移動されることにより、これと一体に前記絞りスライド板１７３は前記ガイドバー１７５に沿って上下に移動されることになる。さらに、この絞りスライド板１７３の一部１７３ａと前記フレーム１７１の先端片１７１ｄとの間に引張コイルバネからなるスライド板復元バネ１７７が掛装され、絞りスライド板１７３を下方に向けて付勢している。
【００１６】
ここで、前記リードスクリュー１７４に設けられている螺旋溝はリード角（螺旋溝が軸方向に対してなす角度：リードスクリュー１７４の回転角に対する螺旋の軸方向の進み量）は、リードナット１７６をリードスクリュー１７４の軸方向に沿って強制的に移動させたときにリードスクリュー１７４が絞りモータ１７２の回転出力軸１７２ａと一体的に軸転することができるような角度、換言すれば絞りモータ１７２を構成しているステップモータのディテントトルク（モータが駆動していないときに回転出力軸１７２ａを回転させるためのトルク）に抗してリードスクリュー１７４を軸転できるような比較的に大きな角度に設定している。また、前記スライド板復元バネ１７７のバネ力は、前記撮影レンズ２の絞り機構２４に設けた連動棹復元バネ２４７のバネ力よりも大きくするとともに、前記ディテントトルクに抗して前記絞りスライド板１７３を図５の下方に向けて引き下げることが可能な大きいバネ力に設定している。
【００１７】
以上の構成によるカメラの撮影動作に伴う絞り動作を図５〜図７を参照して説明する。これらの図は、撮影レンズ２の後端側であるカメラボディ１側から見た図である。先ず、図５は前述のように撮影レンズ２をカメラボディ１に装着すべくバヨネット部２３をレンズマウント１４に挿入した直後のバヨネット部２３での結合を行う前の状態を示しており、この状態では絞り連動棹２４１は未だ絞りスライド板１７３には係合していない。そのため、絞り連動棹２４１は連動棹復元バネ２４７のバネ力によって時計方向の下方位置である初期位置にあって絞りは最大絞り値（最小開口径）の状態にあり、絞りスライド板１７３はスライド板復元バネ１７７のバネ力によって下方位置である基準位置にある。
【００１８】
この状態から図６のように撮影レンズ２を反時計方向に小角度回動してレンズマウント１４にバヨネット部２３を嵌合させると、絞り連動棹２４１が絞りスライド板１７３に当接される。このとき、スライド板復元バネ１７７のバネ力は連動棹復元バネ２４７のバネ力よりも大きいので、絞り連動棹２４１が絞りスライド板１７３に対して図６の上方向、すなわち反時計方向に当接し、さらに撮影レンズ２の回動と共に反時計方向に回動しようとしても基準位置にある絞りスライド板１７３に当接されることにより絞り連動棹２４１のさらなる回動は阻止される。これにより、絞り連動棹２４１は連動棹復元バネ２４７を伸長させながら撮影レンズ２に対して初期位置から相対的に時計方向に回動されることになり、図２（ｂ）に示したと同様に絞り機構２４は開放状態となる。この状態では、レンズとボディが完全にロックしていないのでさらに回転すると絞り連動稈２４１がスライド板１７３も上方に移動させて、レンズとボディの結合が完了する。
【００１９】
しかる上で、カメラボディ１においてレリーズボタン１１の半押しにより測光素子１１５での測光を行い、ＡＦユニット１１０での測距を行った後、ＣＰＵ１００において当該測光データにより適正な絞り値を演算し、測距データにより合焦位置を演算する。この演算された絞り値の情報は絞り駆動回路１１１に入力され、同様に演算された合焦位置の情報はＡＦ装置１１２に入力される。ＡＦ装置１１２ではこの合焦位置情報により撮影レンズ２でのＡＦ動作が実行されるが詳細な説明は省略する。しかる上で、レリーズボタン１１が全押しされると、ＣＰＵ１００は図示を省略したミラー駆動回路に駆動信号を入力し、メインミラー１０１のミラーアップを実行する。また、同時に絞り駆動回路１１１から絞り駆動機構１７に駆動信号が入力され、絞り駆動機構１７は絞り値情報に対応する回転量だけ絞りモータ１７２を回転駆動する。これにより、図７に示すように、リードスクリュー１７４が軸転され、リードナット１７６及びこれと一体の絞りスライド板１７３がスライド板復元バネ１７７のバネ力に抗して基準位置（図６に示した位置）から図７の上方に移動される。これにより、絞り連動棹２４１は連動棹復元バネ２４７のバネ力によって絞りスライド板１７３に当接した状態で上方に移動、すなわち反時計方向に回動されることになり、絞り機構２４が絞り込まれることになる。この絞り機構２４の絞り込み量は絞りスライド板１７３が図６に示した基準位置から上方へスライドした量、すなわち絞り連動棹２４１の反時計方向の回転量に依存するものとなる。なお、絞りスライド板１７３が最大量移動したときには、絞り連動稈２４１の上方への移動量も最大となり、図２（ａ）に示したと同様に絞り機構２４は最大絞り値（最小開口径）となる。
【００２０】
しかる後、シャッター機構１０７が開動作し、撮像装置１０６に被写体像が結像され、撮像が実行される。撮影後にシャッター機構１０７が閉じると、メインミラー１０１は元の位置にまで下降され、同時に絞りモータ１７２は逆回転して基準回転位置まで戻されると、図６に示したように絞りスライド板１７３は下方に移動復帰されるとともに絞り連動棹２４１を一体的に時計方向に回動し、基準位置にまで下動して絞り機構２４を再び図２（ｂ）に示した開放状態とする。また、このとき絞り駆動回路１１１は絞り駆動機構１７に入力していた駆動信号の入力を停止させるようにしてもよい。駆動信号が入力されなくなると絞りモータ１７２は回転力が発生しなくなり、ディテントトルク以上の力によって自由に回転可能な状態となる。そのため、スライド板復元バネ１７７のバネ力によって絞りスライド板１７３はリードスクリュー１７４を回転させながらリードスクリュー１７４に対して軸方向に移動され、下方の基準位置まで移動される。これにより、絞り連動棹２４１を一体的に時計方向に回動し、絞り機構２４を再び図２（ｂ）の開放状態とする。なお、このようにして絞り値を変化させた場合でも、これと一体に絞りモータ１７２が回転されるため、絞りモータ１７２のステップ位置と絞り値とは常に一対一の相関が保持される。また、絞り駆動機構１７に駆動信号が入力されて絞りモータ１７２が所定の回動位置に停止されている状態では、絞りモータ１７２の回転トルクはディテントトルク以上であるため、スライド板復元バネ１７７のバネ力によっても絞りスライド板１７３が移動して絞りモータ１７２が外力によって強制的に回動されることはない。
【００２１】
ここで、動画撮影のときには、撮影中はメインミラー１０１はミラーアップの状態が保持され、シャッター機構１０７は開状態が保持され、撮像装置１０６において連続して撮像が行われる。このとき、被写体の明るさが変化して測光素子１１５で測光した測光データが変化したときには、ＣＰＵ１００はこの変化に対応して絞り駆動回路１１１に入力する絞り値の情報を変化させ、絞り駆動機構１７により絞りモータ１７２の回転量を変化制御する。これにより、リードスクリュー１７４の軸転量が変化され、同時に絞りスライド板１７３の上下方向の位置が変化されるため、絞り連動棹２４１はこれに追随して回動位置が変化され、絞り機構２４の絞り値が被写体の明るさに対応した適正な絞り値に制御される。これにより、当該カメラにおける動画撮影が実現可能となる。
【００２２】
したがって、実施例のカメラボディ１を用いることにより、従来の絞り連動棹２４１により絞り制御を行う既存の撮影レンズ２を装着してカメラシステムを構築した場合においても、被写体の明るさの変動に追従した適正な露出での静止画の撮影はもとより、メインミラー１０１をミラーアップした状態での適正な露出による動画の撮影も実現できる。また、絞りモータ１７２の駆動を停止したときには、絞りスライド板１７３を初期位置に移動させて撮影レンズ２の絞り機構２４を開放状態にすることが可能であるので、撮影レンズの種類の違いによって絞り連動棹２４１の初期位置が異なる撮影レンズを装着した場合でも、必ず当該撮影レンズの絞り機構を開放状態にすることができ、カメラボディ１ではこのときの絞りモータ１７２の回転位置を基準位置として設定することで、以降の適正な絞り制御を実行することが可能である。
【００２３】
実施例では撮影レンズの絞り機構は標準的な構成例のものを例示したが、回動位置によって絞り値を変化させる絞り連動棹を備える撮影レンズを用いるカメラであれば、同様に本発明を適用することが可能である。
【図面の簡単な説明】
【００２４】
【図１】本発明の実施例のカメラボディと撮影レンズの外観斜視図である。
【図２】絞り機構を撮影レンズの後方から見た図である。
【図３】絞り機構と絞り駆動機構の一部を分解した斜視図である。
【図４】撮影レンズをカラボディに装着した状態の主要部の概念構成図である。
【図５】撮影レンズを装着する直前の絞り動作状態を示す図である。
【図６】撮影レンズを装着した状態の絞り動作状態を示す図である。
【図７】撮影レンズを装着したレリーズ時の絞り動作状態を示す図である。
【符号の説明】
【００２５】
１  カメラボディ
２  撮影レンズ
１１  レリーズボタン
１４  レンズマウント
１５  ミラーボックス
１６  ＡＦカプラー
１７  絞り駆動機構
２３  バヨネット部
２４  絞り機構
２５  ＡＦ機構
１００  ＣＰＵ
１０１  メインミラー
１０６  撮像装置
１０７  シャッター機構
１１０  ＡＦユニット
１１１  絞り駆動回路
１１５  測光素子
１７２  絞りモータ
１７３  絞りスライド板
１７４  リードスクリュー
１７７  スライド板復元バネ
２４１  絞り連動棹
２４２  絞り環
２４５  絞り羽根
２４７  連動棹復元バネ
【図１】
2008197552.tif 000003
【図２】
2008197552.tif 000004
【図３】
2008197552.tif 000005
【図４】
2008197552.tif 000006
【図５】
2008197552.tif 000007
【図６】
2008197552.tif 000008
【図７】
2008197552.tif 000009